(57)【要約】【課題】各々の容器本体に収容された内容液が残り少なくなっても、偏吐出を生じることなく、均等な混合状態で吐出させて、内容液を最終段階まで効率良く使用できる２液混合吐出容器を提供する。【解決手段】２体並設された容器本体１１，１２は、トリガースプレーヤー１３による吐出方向Ｘ側の先端部分の内側底部分に吸引口１４ａが開口するように、吸引チューブ１４の先端部１４ｂを誘導するチューブ誘導部１６を備える。容器本体１１，１２は、水平な載置面に載置して、満注容量の２０％の内容液を収容した状態で、吐出方向Ｘと垂直な左右方向Ｙに６０°の傾倒角度で傾けた際に、一方の容器本体１１における内容液の静水面１７から吸引チューブ１４の吸引口１４ａの中心１４ｃまでの深さｄ1と、他方の容器本体１２における内容液の静水面１７から吸引チューブ１４の吸引口１４ａの中心１４ｃまでの深さｄ2とが、略等しくなるような形状に形成されている。【選択図】図３
2014129118.tif 000002
【特許請求の範囲】
【請求項１】
内容液を収容した容器本体が２体並設されており、口首部に取り付けられた吐出機構による吐出操作によって、各々の容器本体に挿入された吸引チューブを介して吸引される内容液を、混合した状態で吐出させる２液混合吐出容器であって、
２体並設された前記容器本体は、前記吐出機構による吐出方向側の先端部分の内側底部分に前記吸引チューブの吸引口が開口するように、前記吸引チューブの先端部を誘導するチューブ誘導部を各々備えており、
且つ２体並設された前記容器本体は、底面部を水平な載置面に載置して自立させて、満注容量の２０％の内容液を収容した状態で、前記吐出機構による吐出方向と垂直な左右方向に６０°の傾倒角度で傾けた際に、一方の前記容器本体における内容液の静水面から前記吸引チューブの吸引口の中心までの深さと、他方の前記容器本体における内容液の静水面から前記吸引チューブの吸引口の中心までの深さとが、等しいか又は略等しくなるような形状に形成されている２液混合吐出容器。
【請求項２】
２体並設された前記容器本体は、底面部を水平な載置面に載置することで自立させて、満注容量の２０％の内容液を収容した際の静水面の高さ位置で切断した横断中空面において、各々の前記容器本体の横断中空面を、前記吐出機構による吐出方向と平行な直線によって、最大横幅の１／２の位置で２分割すると共に、一方の前記容器本体の横断中空面の外側分割領域を、他方の前記容器本体の内側分割領域まで平行移動させて重ね合わせた状態で、前記外側分割領域と前記内側分割領域との面積の差が、前記外側分割領域と前記内側分割領域のうちの大きい方の面積の、０〜２５％の面積となっている請求項１又は２記載の２液混合吐出容器。
【請求項３】
前記吸引チューブの先端部を誘導するチューブ誘導部は、各々の前記容器本体の前記吐出方向先端部分の内側底部分を、先端側に向けて幅を窄めることによって設けられている請求項１〜３のいずれか１項記載の２液混合吐出容器。
【請求項４】
前記吸引チューブの先端部を誘導するチューブ誘導部の上下に、段差が設けられている請求項１〜４のいずれか１項記載の２液混合吐出容器。
【請求項５】
２体の前記容器本体は、密着対向面を各々備えており、これらの密着対向面を重ね合わせた状態で並設されている請求項１〜４のいずれか１項記載の２液混合吐出容器。
【請求項６】
２体並設された前記容器本体は、重ね合わせた密着対向面に対して対称な形状を有している請求項５記載の２液混合吐出容器。
【請求項７】
２体並設された前記容器本体は、シュリンクラベル、ストレッチラベル等の結束手段によって一体として結束されている請求項１〜６のいずれか１項記載の２液混合吐出容器。
【請求項８】
前記容器本体は、ブロー成形容器である請求項１〜７のいずれか１項記載の２液混合吐出容器。
【発明の詳細な説明】
【技術分野】
【０００１】
本発明は、２液混合吐出容器に関し、特に、２体並設された容器本体から内容液を各々吸引して、混合状態で吐出させる２液混合吐出容器に関する。
【背景技術】
【０００２】
従来より、並設された２体の容器本体から吸引チューブを介して各々の内容液を吸引して、混合した状態で吐出させる２液混合吐出容器として、例えば２液混合式のトリガー容器が知られている（例えば、特許文献１、特許文献２参照）。２液混合式のトリガー容器では、並設された２体の容器本体の口首部に、吐出機構としてトリガースプレーヤーが取り付けられており、トリガースプレーヤーのトリガー部の引寄せ操作を繰り返し行うことで、吸上げチューブを介して各々の容器本体から好ましくは等量の内容液を吸い上げて、吸い上げた内容液を、吐出ノズルから噴出させるのと同時に混合させた状態で、或いは混合室で混合させて混合液とした状態で、吐出ノズルから吐出させるようになっている。
【０００３】
また、２液混合式のトリガー容器等の２液混合吐出容器では、内容液を最後まで効率良く容器本体から吸い上げることができるように、吸引チューブの吸引口を容器本体の内側の底部近傍に配置するようになっている。
【先行技術文献】
【特許文献】
【０００４】
【特許文献１】特開平８−８４９４６号公報
【特許文献２】特開平８−２２９４６８号公報
【発明の概要】
【発明が解決しようとする課題】
【０００５】
しかしながら、例えば図６（ａ）、（ｂ）に示すように、２体並設された容器本体５１ａ，５１ｂが、対称な形状を有してはいるが、個々の容器本体５１ａ，５１ｂが、仮想の切断面Ａ’によって底部近傍を切断した横断中空面において、吐出機構５２による吐出方向Ｘ’に沿った縦幅が、密着対向面５３ａ，５３ｂに近接する部分から、外側部分に向けて徐々に小さくなるような非対称の形状に形成されている場合には、２液混合吐出容器５０を、例えば吐出機構５２による吐出方向Ｘ’と垂直な左右方向Ｙ’に傾けた状態で使用した際に、各々の容器本体５１ａ，５１ｂに収容された内容液が残り少なくなっていると、図７に示すように、一方の容器本体５１ａに挿入された吸引チューブ５４の吸引口５４ａの全体が内容液の内部に浸かっていても、他方の容器本体５１ｂに挿入された吸引チューブ５４の吸引口５４ａが、その一部しか内容液の内部に浸からない状態になり易い。このため、内容液が残り少なくなってくると、各々の容器本体５１ａ，５１ｂから吸引チューブ５４を介して等量の内容液を汲み上げることができなくなり、一方の内容液の方が多くなった混合状態で吐出されて、偏吐出が生じることになる。
【０００６】
本発明は、２体並設された容器本体から等量の内容液を各々吸引して、混合状態で内容液を吐出させる際に、各々の容器本体に収容された内容液が残り少なくなったときでも、偏吐出を生じることなく、均等又は略均等な混合状態で吐出させて、内容液を最終段階まで効率良く使用することのできる２液混合吐出容器を提供することを目的とする。
【課題を解決するための手段】
【０００７】
本発明は、内容液を収容した同一又は対称形状の容器本体が２体並設されており、口首部に取り付けられた吐出機構による吐出操作によって、各々の容器本体に挿入された吸引チューブを介して吸引される内容液を、混合した状態で吐出させる２液混合吐出容器であって、２体並設された前記容器本体は、前記吐出機構による吐出方向側の先端部分の内側底部分に前記吸引チューブの吸引口が開口するように、前記吸引チューブの先端部を誘導するチューブ誘導部を各々備えており、且つ２体並設された前記容器本体は、底面部を水平な載置面に載置して自立させて、満注容量の２０％の内容液を収容した状態で、前記吐出機構による吐出方向と垂直な左右方向に６０°の傾倒角度で傾けた際に、一方の前記容器本体における内容液の静水面から前記吸引チューブの吸引口の中心までの深さと、他方の前記容器本体における内容液の静水面から前記吸引チューブの吸引口の中心までの深さとが、等しいか又は略等しくなるような形状に形成されている２液混合吐出容器を提供することにより、上記目的を達成したものである。
【発明の効果】
【０００８】
本発明の２液混合吐出容器によれば、２体並設された容器本体から等量の内容液を各々吸引して、混合状態で内容液を吐出させる際に、各々の容器本体に収容された内容液が残り少なくなったときでも、偏吐出を生じることなく、均等又は略均等な混合状態で吐出させて、内容液を最終段階まで効率良く使用することができる。
【図面の簡単な説明】
【０００９】
【図１】（ａ）は本発明の好ましい一実施形態に係る２液混合吐出容器の略示斜視図、（ｂ）は（ａ）の仮想の切断面Ａに沿った断面図である。
【図２】容器本体を底部側から見た斜視図である。
【図３】各々の容器本体に満注容量の２０％の内容液を収容して、左右方向に６０°の傾倒角度で傾けた状態を説明する要部略示断面図である。
【図４】（ａ）〜（ｃ）は、各々の容器本体の中空横断面を、吐出方向と平行な直線によって、最大横幅の１／２の位置で２分割すると共に、一方の容器本体の横断面の外側分割領域を、他方の容器本体の内側分割領域まで平行移動させて重ね合わせた状態の説明図である。
【図５】（ａ）〜（ｅ）は、チューブ誘導部の他の形態を例示する、容器本体を底部側から見た斜視図である。
【図６】（ａ）は従来の２液混合吐出容器の略示斜視図、（ｂ）は（ａ）の仮想の切断面Ａ’に沿った断面図である。
【図７】従来の２液混合吐出容器において偏吐出が生じる状態の斜視図である。
【図８】従来の２液混合吐出容器において偏吐出が生じる状態の斜視図である。
【図９】従来の２液混合吐出容器において偏吐出が生じる状態の斜視図である。
【発明を実施するための形態】
【００１０】
図１（ａ）、（ｂ）に示す本発明の好ましい一実施形態に係る２液混合吐出容器１０は、内容液である第１剤として、例えば過酸化水素を含む漂白剤を収容した第１容器本体１１と、内容液である第２剤として、例えば水酸化ナトリウムを含むアルカリ剤を収容した第２容器本体１２とを併設すると共に、併設された２体の容器本体１１，１２の口首部１１ａ，１２ａに、吐出機構として公知のトリガースプレーヤー１３を取り付けた、２液混合式のトリガー容器となっている。本実施形態の２液混合吐出容器１０は、トリガースプレーヤー１３のトリガー部１３ａの引寄せ操作を繰り返すことで、各々の容器本体１１，１２から吸上げチューブ１４を介して等量ずつ吸い上げた内容液を、例えば混合室（図示せず）において混合させた後に、一箇所のノズル部１５から、好ましくは発泡状態や噴霧状態で吐出させるようになっている。本実施形態の２液混合吐出容器１０は、各々の容器本体１１，１２に収容された内容液が残り少なくなったときでも、吸上げチューブ１４を介して各々の容器本体１１，１２から、等量の内容液を吸い上げることができるようにして、偏吐出を生じることなく、内容液を最終段階まで効率良く使用できようになっている。
【００１１】
そして、本実施形態の２液混合吐出容器１０は、図１（ａ）、（ｂ）及び図２に示すように、内容液を収容した対称形状の容器本体１１，１２が２体並設されており、口首部１１ａ，１２ａに取り付けられたトリガースプレーヤー１３による吐出操作によって、各々の容器本体１１，１２に挿入された吸引チューブ１４を介して吸引される内容液を、混合した状態で吐出させる２液混合式のトリガー容器であって、２体並設された容器本体１１，１２は、これらの容器本体１１，１２のトリガースプレーヤー１３による吐出方向Ｘ側の先端部分における内側底部分に、吸引チューブ１４の吸引口１４ａが開口するように、当該吸引チューブ１４の先端部１４ｂを強制的に誘導するチューブ誘導部１６を各々備えている。且つ２体並設された容器本体１１，１２は、底面部１１ｂ，１２ｂを水平な載置面に載置して自立させて、満注容量の２０％の内容液を収容した状態で、トリガースプレーヤー１３による吐出方向Ｘと垂直な左右方向Ｙに６０°の傾倒角度で傾けた際に、図３に示すように、一方の容器本体（第１容器本体）１１における内容液の静水面１７から吸引チューブ１４の吸引口１４ａの中心１４ｃまでの深さｄ1と、他方の容器本体（第２容器本体）１２における内容液の静水面１７から吸引チューブ１４の吸引口１４ａの中心１４ｃまでの深さｄ2とが、等しいか又は略等しくなるような形状に形成されている。
【００１２】
また、本実施形態では、２体並設された第１容器本体１１及び第２容器本体１２は、底面部１１ｂ，１２ｂを水平な載置面に載置することで自立させて、満注容量の２０％の内容液を収容した際の静水面の高さ位置（仮想の切断面Ａ）で切断した横断中空断面１１ｄ、１２ｄにおいて、図４（ａ）〜（ｃ）に示すように、各々の容器本体１１，１２の横断中空断面１１ｄ、１２ｄを、トリガースプレーヤー１３による吐出方向Ｘと平行な直線Ｌによって、最大横幅ｂ1の１／２の位置で２分割すると共に、一方の容器本体１１（又は容器本体１２）の横断中空断面１１ｄ（１２ｄ）の外側分割領域１１out（又は１２out）を、他方の容器本体１２（又は容器本体１１）の内側分割領域１２in（又は１１in）まで平行移動させて重ね合わせた状態で、外側分割領域１１out（又は１２out）と内側分割領域１２in（又は１１in）との面積の差が、外側分割領域１１out（又は１２out）と内側分割領域１２in（又は１１in）のうちの大きい方（本実施形態では、内側分割領域１２in（又は１１in））の面積の、０〜２５％の面積となっている。
【００１３】
本実施形態では、２体併設される第１容器本体１１及び第２容器本体１２は、図１（ａ）、（ｂ）及び図２に示すように、各々、合成樹脂製のブロー成形品であって、略下半部分がトリガースプレーヤー１３のノズル部１５による吐出方向Ｘの前方及び後方に膨出した、偏平な有底の胴部１１ｃ，１２ｃと、胴部１１ｃ，１２ｃの上端部から上方に突出して設けられた、略半円の対称な断面形状を有する口首部１１ａ，１２ａと含んで形成されている。
【００１４】
また、第１容器本体１１及び第２容器本体１２は、吐出方向Ｘに沿った一方の側面が、平坦な密着対向面１１ｅ，１２ｅとなっており、重ね合わせた密着対向面１１ｅ，１２ｅを中心とする対称な形状を有している。一方、個々の第１容器本体１１や第２容器本体１２は、非対称な形状を備えている。また、第１容器本体１１及び第２容器本体１２は、密着対向面１１ｅ，１２ｅを重ね合わせて密着させた状態で併設される。これによって、略半円の対称な断面形状を有する口首部１１ｃ，１２ｃは、全体として略円形の断面形状を備えるように併設される。併設された口首部１１ｃ，１２ｃの外周面に形成された略円形の装着係合部を介して、トリガースプレーヤー１３の装着キャップ部１３ｂを口首部１１ｃ，１２ｃに装着固定することで、トリガースプレーヤー１３が、一対の吸上げチューブ１４を各々の容器本体１１，１２の内部に挿入すると共に、ノズル部１５による吐出方向Ｘを、重ね合わせた密着対向面１１ｅ，１２ｅの方向に合わせた状態で、容器本体１１，１２に取り付けられる。
【００１５】
さらに、本実施形態では、各々の容器本体１１，１２の吐出方向Ｘ側の先端部分の内側底部分を、好ましくは先端側に向けて幅を窄めることによって、吸引チューブ１４の先端部１４ｂを強制的に誘導するチューブ誘導部１６が設けられている。各々の容器本体１１，１２の先端部分の内側底部分にチューブ誘導部１６が設けられていることにより、吸引チューブ１４の吸引口１４ａが、吐出方向Ｘ側の先端部分の内側底部分に開口した状態で位置決めされ、例えば容器１０が受ける衝撃等による吸引口１４ａの位置ずれを防止することが可能になる。これによって、内容液が残り少なくなった場合でも、偏吐出が生じるのを一層効果的に回避することが可能になる。また、詰替え容器から容器本体１１，１２へ内容液を詰替える際に、使用者がトリガースプレーヤー１３を、並設された容器本体１１，１２の口首部１１ｃ，１２ｃから一旦取り外して、再びセットする際にも、吸引チューブ１４の先端部１４ｂの吸引口１４ａを、チューブ誘導部１６によって、容器本体１１，１２の吐出方向Ｘ側の内側底部分の先端部分に位置決めされるように強制的に誘導することができるため、誤セットを効果的に回避することが可能になる。
【００１６】
なお、チューブ誘導部１６としては、図２に示す形状のものの他、例えば図５（ａ）、（ｂ）に示す形状のもの等を採用することができる。また、例えば図５（ｃ）〜（ｅ）に示すように、チューブ誘導部１６の上下に段差部を設けることもできる。
【００１７】
さらにまた、本実施形態では、２体並設された容器本体１１，１２は、好ましくはシュリンクラベルやストレッチラベル等の結束手段（図示せず）によって一体として結束されている。第１容器本体１１及び第２容器本体１２がシュリンクラベルやストレッチラベル等の結束手段によって一体として結束されていることにより、密着対向面１１ｅ，１２ｅを介して密着している第１容器本体１１と第２容器本体１２との相対的な位置関係が、例えば容器１０が受ける衝撃等によってずれるのを防止して、内容液が残り少なくなった場合でも、偏吐出が生じるのを一層効果的に回避することが可能になる。また、詰替え容器から容器本体１１，１２へ内容液を詰替える際にも、容器本体１１，１２がバラバラにならないので、詰替え易さを向上させることが可能になる。
【００１８】
そして、本実施形態では、密着対向面１１ｅ，１２ｅを介して対称に配置された第１容器本体１１と第２容器本体１２とは、満注容量の２０％の内容液を収容した際の静水面の高さ位置（仮想の切断面Ａ）で切断した横断中空断面１１ｄ，１２ｄにおいては、図４（ａ）〜（ｃ）に示すように、各々の横断中空断面１１ｄ，１２ｄを最大横幅ｂ1の１／２の位置で２分割して、一方の外側分割領域１１out（又は１２out）を、他方の内側分割領域１２in（又は１１in）まで平行移動させて重ね合わせた状態で、これらの面積の差が、これらのうちの大きい方の面積である内側分割領域１２in（又は１１in）の面積の、０〜２５％の面積となっている。すなわち、各々の横断中空断面１１ｄ、１２ｄを最大横幅ｂ1の１／２の位置で２分割した際に、一方の容器本体１１（又は１２）の外側分割領域１１out（又は１２out）と、他方の容器本体１２（又は１１）の内側分割領域１２in（又は１１in）とが、同じか又は略同じ形状を有している。
【００１９】
これによって、２体並設される第１容器本体１１と第２容器本体１２とを、２液混合吐出容器１０を水平な載置面に載置することで自立させて、満注容量の２０％の内容液を収容した状態で、左右方向Ｙに６０°の傾倒角度で傾けた際に、一方の容器本体１１（又は１２）における内容液の静水面１７から吸引チューブ１４の吸引口１４ａの中心１４ｃまでの深さｄ1と、他方の容器本体１２（又は１１）における内容液の静水面１７から吸引チューブ１４の吸引口１４ａの中心１４ｃまでの深さｄ2とが、等しいか又は略等しくなるような形状に、第１容器本体１１と第２容器本体１２が形成されている。
【００２０】
そして、上述の構成を備える本実施形態の２液混合吐出容器１０によれば、２体並設された容器本体１１，１２から等量の内容液を各々吸引して、混合状態で内容液を吐出させる際に、各々の容器本体１１，１２に収容された内容液が残り少なくなったときでも、偏吐出を生じることなく、均等又は略均等な混合状態で吐出させて、内容液を最終段階まで効率良く使用することが可能になる。
【００２１】
すなわち、本実施形態は、２液混合吐出容器１０の並設された容器本体１１，１２は、トリガースプレーヤー１３による吐出方向Ｘ側の先端部分の内側底部分に吸引チューブ１４の先端部１４ｂを強制的に誘導する、チューブ誘導部１６を各々備えている。更に加えて、容器本体１１，１２は、水平な載置面に載置して満注容量の２０％の内容液を収容した状態で、吐出方向Ｘと垂直な左右方向Ｙに６０°の傾倒角度で傾けた際に、一方の容器本体（第１容器本体）１１における内容液の静水面１７から、チューブ誘導部１６によって位置決め誘導された吸引チューブ１４の吸引口１４ａの中心１４ｃまでの深さｄ1と、他方の容器本体（第２容器本体）１２における内容液の静水面１７から、チューブ誘導部１６によって位置決め誘導された吸引チューブ１４の吸引口１４ａの中心１４ｃまでの深さｄ2とが、等しいか又は略等しくなるような形状に形成されている。
【００２２】
上記のように構成された本実施形態によれば、容器本体１１，１２に収容された内容液が残り少なくなった最終段階で、２液混合吐出容器１０を左右方向Ｙや下方に傾けた状態で使用しても、図６（ａ），（ｂ）及び図７に示す、一方の容器本体５１ａの外側分割領域と他方の容器本体５１ｂの内側分割領域との面積の差が、これらのうちの大きい方の面積の３２％の面積となっている、従来の２液混合吐出容器５０のように、一方の容器本体５１ａに挿入された吸引チューブ５４の吸引口５４ａの全体が内容液の内部に浸かっていても、他方の容器本体５１ｂに挿入された吸引チューブ５４の吸引口５４ａは、その一部しか内容液の内部に浸かっていない状態にすることなく、図３に示すように、内容液を使い切る直前まで、双方の容器本体１１，１２に挿入された吸引チューブ１４の吸引口１４ａの全体が、内容液の内部に浸かっている状態を保持して、偏吐出を生じさせることなく、均等又は略均等な混合状態で吐出させて、内容液を最終段階まで効率良く使い切ることが可能になる。
【００２３】
また、本実施形態によれば、並設された容器本体１１，１２の外側分割領域１１out（又は１２out）と内側分割領域１２in（又は１１in）との面積の差を、これらのうちの大きい方の面積の０〜２５％の面積としているので、並設された個々の容器本体１１，１２を、例えば線対称の矩形断面形状や略矩形断面形状とするとなく、非対称の断面形状とすることが可能になって、デザイン性の自由度を向上させることが可能になる。
【００２４】
なお、本発明は上記実施形態に限定されることなく種々の変更が可能である。例えば、２液混合吐出容器は、２液混合式のトリガー容器である必要は必ずしも無く、２液混合式のポンプ容器等の、その他の吐出容器であっても良い。２体並設された容器本体は、シュリンクラベル等の結束手段によって一体として結束されている必要は必ずしも無く、容器本体は、ブロー成形容器である必要は必ずしも無い。また、並設された容器本体に各々収容される内容液は、過酸化水素を含む漂白剤と、水酸化ナトリウムを含むアルカリ剤である必要は必ずしも無く、その他の種々の内容液であっても良い。
【００２５】
前述した本発明の実施態様に関し、更に以下の付記（２液混合吐出容器）を開示する。
【００２６】
＜１＞  内容液を収容した容器本体が２体並設されており、口首部に取り付けられた吐出機構による吐出操作によって、各々の容器本体に挿入された吸引チューブを介して吸引される内容液を、混合した状態で吐出させる２液混合吐出容器であって、
２体並設された前記容器本体は、前記吐出機構による吐出方向の先端部分の内側底部分に吸引口が開口するように、前記吸引チューブの先端部を誘導するチューブ誘導部を各々備えており、
前記吸引チューブは、容器本体の口首部から鉛直下方に伸びた後、前記吐出方向先端部方向に屈曲し前記チューブ誘導部に至るように形成され、
且つ２体並設された前記容器本体は、底面部を水平な載置面に載置することで自立させて、満注容量の２０％の内容液を収容した状態で、前記吐出機構による吐出方向と垂直な左右方向に６０°の傾倒角度で傾けた際に、一方の前記容器本体における内容液の静水面から前記吸引チューブの吸引口の中心までの深さと、他方の前記容器本体における内容液の静水面から前記吸引チューブの吸引口の中心までの深さとが、等しいか又は略等しくなるような形状に形成されている２液混合吐出容器。
【００２７】
＜２＞  前記吸引チューブの先端に、チューブ径以上のチューブ先端誘導部を有する＜１＞記載の２液混合吐出容器。
＜３＞  ２体並設された前記容器本体は、異なる色相を有し、前記吸引チューブは、装着される前記容器本体と同じ色相を有する＜１＞又は＜２＞記載の２液混合吐出容器。
【実施例】
【００２８】
以下、実施例及び比較例により、本発明の２液混合吐出容器をさらに詳細に説明するが、本発明はこれらに限定されるものではない。
【００２９】
図１（ａ）、（ｂ）に示す上記実施形態の２液混合トリガー容器１０と同様の構成を備えるトリガー容器を、実施例１の２液混合吐出容器とした。図６（ａ）、（ｂ）に示す従来の２液混合トリガー容器１０と同様の構成を備えるトリガー容器を、比較例１の２液混合吐出容器とした。満注容量の２０％の内容液を収容した際の静水面の高さ位置で切断した横断中空面において、一方の容器本体の横断中空面の外側分割領域を、他方の容器本体の内側分割領域まで平行移動させて重ね合わせた状態における、外側分割領域と内側分割領域との面積の差の、外側分割領域と内側分割領域のうちの大きい方の面積に対する割合は、実施例１の２液混合吐出容器では１１％、比較例１の２液混合吐出容器では３２％となっている。
【００３０】
比較例１の２液混合吐出容器について、容器本体に満注容量の（１）５０％、（２）２０％、（３）１０％の内容液を充填した状態で、以下の方法により偏吐出率の実験を行った。
【００３１】
＜偏吐出率の実験＞
２液混合吐出容器を、内容液の吐出方向に沿った前後方向に＋１０°〜−９０°（＋は上向き、−は下向き）の傾け角度で傾けた状態で、トリガーを繰り返し引き寄せて内容液を１０回吐出させ、その際の容器本体の左右各々の減少量を測定し、それを第１剤、第２剤の吐出容量として測定した。また、２液混合吐出容器を、内容液の吐出方向と垂直な左右方向に０°〜−９０°（＋は右向き、−は左向き）の傾け角度で傾けた状態で、トリガーを繰り返し引き寄せて内容液を１０回吐出させ、その際の容器本体の左右各々の減少量を測定し、それを第１剤、第２剤の吐出容量として測定した。偏吐出率は次式にて算出した。
＜偏吐出率％＞＝｜第１剤の吐出容量−第２剤の吐出容量｜／合計吐出容量×１００
【００３２】
尚、測定では、左右の同一角度は同じ偏吐出率になるとみなし、右側（＋側）に傾けたときのみを測定した。また前後の傾け角度−９０°に関しては、左右の傾け角度を変化させても、回転するのみで、容器の傾け方は変化しないため、左右の傾け角度は０°のときと全て同一とみなし、０°のときのみを測定した。
【００３３】
比較例１の２液混合吐出容器について、満注容量と偏吐出率、偏吐出角度の関係を評価した。評価結果を図８に示す。図８に示す評価結果では、片側のみしか吐出しなかった場合及び上記式で算出される偏吐出率が１０％を超える場合を偏吐出が起こったとした。また図８に示す評価結果では、第１剤、第２剤ともに吐出しなかった場合をＮ、第１剤、第２剤のどちらか一方のみしか吐出しなかった場合をＥ、その他の場合は偏吐出率の数値を記載した。
【００３４】
図８に示す評価結果によると、満注容量５０％における評価では、偏吐出は起こらなかった。しかし、満注容量２０％以下では偏吐出が起こった。特に左右方向の傾け角度が６０°の傾けにおいてはその影響が表れ易い。そしてＮのときは両側共にチューブ先端が液面に浸かっておらず、Ｅのときは片側のみチューブ先端が液面に浸かっていた。
【００３５】
実施例１の２液混合吐出容器について、上述と同様の方法により偏吐出率の実験を行った。比較例１の２液混合吐出容器についての評価結果では、満注容量の１０％の内容液を充填した状態において偏吐出が起こり易かったことから、実施例１の２液混合吐出容器の容器本体に満注容量の１０％の内容液を充填した状態で、偏吐出率の実験を行った。
【００３６】
評価結果を図９に示す。図９に示す評価結果によれば、外側分割領域と内側分割領域との面積差が比較例１の２液混合吐出容器よりも小さい値となっている実施例１の２液混合吐出容器では、全ての角度において、偏吐出は起こらず、どの傾け角度においても、両側の容器本体で、チューブ先端が液面に浸かっているか、又は両側とも液面に浸からないといった状態となっていたことが判明する。
【符号の説明】
【００３７】
１０  ２液混合吐出容器
１１  第１容器本体
１１ｄ  横断中空断面
１１out  外側分割領域
１１in   内側分割領域
１２  第２容器本体
１２ｄ  横断中空断面
１２out  外側分割領域
１２in   内側分割領域
１３  トリガースプレーヤー（吐出機構）
１４  吸上げチューブ
１４ａ  吸引口
１４ｂ  先端部
１４ｃ  吸引口の中心
１５  ノズル部
１６  チューブ誘導部
１７  静水面
Ａ    仮想の切断面
Ｘ    吐出方向
Ｙ    左右方向
Ｌ    吐出方向と平行な直線
ｂ1   横断中空断面の最大横幅
ｄ1，ｄ2  静水面から吸引チューブの吸引口の中心までの深さ
【図１】
2014129118.tif 000003
【図２】
2014129118.tif 000004
【図３】
2014129118.tif 000005
【図４】
2014129118.tif 000006
【図５】
2014129118.tif 000007
【図６】
2014129118.tif 000008
【図７】
2014129118.tif 000009
【図８】
2014129118.tif 000010
【図９】
2014129118.tif 000011